(57)【要約】【課題】  構造物の外壁と、該外壁の屋外側の面から面外方向へ延びる勾配屋根の軒先と、の接続部から屋内への漏水を防止する軒先用板金具及びその構造であって、従来のように複数の板金を組み合わせて形成される軒先用板金具の内部に水が浸入した場合であっても、屋内への漏水を防止できる軒先用板金具及び軒先当たり部の防水構造を提供する。【解決手段】  軒先用板金具１は、構造物の外壁２と、該外壁２の屋外側の面から面外方向へ延びる勾配屋根３の軒先３１と、の接続部に配置されて屋内への漏水を防止する金具であって、水を受ける箱状の箱部１１ａを有する水受け部材１１と、箱部１１ａの一側方を覆うように配置され、水受け部材１１と接合する略平板状の壁防水部材１２と、を備え、壁防水部材１２と箱部１１ａの底板１１ｃとの間に隙間Ｓを形成する。【選択図】図２
2019039191.tif 000002
【特許請求の範囲】
【請求項１】
構造物の外壁と、該外壁の屋外側の面から面外方向へ延びる勾配屋根の軒先と、の接続部に配置されて屋内への漏水を防止する軒先用板金具であって、
水を受ける箱状の箱部を有する水受け部材と、
前記箱部の一側方を覆うように配置され、前記水受け部材と接合する略平板状の壁防水部材と、を備え、
前記壁防水部材と前記箱部の底板との間に隙間を形成することを特徴とする軒先用板金具。
【請求項２】
前記底板は、前記壁防水部材に向けて下方へ傾斜していることを特徴とする請求項１に記載の軒先用板金具。
【請求項３】
前記壁防水部材は、前記水受け部材の上面よりも上方へ突出し、該水受け部材の下面よりも下方へ延びることを特徴とする請求項１又は請求項２に記載の軒先用板金具。
【請求項４】
構造物の外壁と、該外壁の屋外側の面から面外方向へ延びる勾配屋根の軒先と、の接続部の漏水を防止する軒先当たり部の防水構造であって、
前記外壁を支持する躯体に設置される平板状の壁下地材と、
前記勾配屋根の屋根仕上材よりも下部に設置される平板状の野地板と、
前記野地板の上面に設置される請求項１から請求項３のいずれかに記載の軒先用板金具と、を備え、
前記箱部は、前記軒先の前記壁下地材側の端部に設置され、
前記壁防水部材は、前記壁下地材の表面に沿って設置されることを特徴とする軒先当たり部の防水構造。
【請求項５】
前記箱部は、前記野地板よりも前記底板を低い位置に配置していることを特徴とする請求項４に記載の軒先当たり部の防水構造。
【発明の詳細な説明】
【技術分野】
【０００１】
この発明は、構造物の外壁と、外壁の屋外側の面から面外方向へ延びる勾配屋根の軒先との接続部から屋内への水の浸入を防止する軒先用板金具に関する。
【背景技術】
【０００２】
建築物の外壁と外壁の屋外側の面から面外方向へ延びる勾配屋根との接続部分は、雨水が集中しやすいため屋内への漏水を起こしやすく、特に外壁と軒先との接続部分には、漏水を防ぐために板金加工された軒先用板金具を設置することが一般的である。これらの板金具は、設置位置の性質上、複数の板金を重ね合わせた複雑な形状に形成されることが多く、板金同士の重なり部分にはシーリング処理が施されている。しかしながら、シーリングが経年劣化などで切れてしまうと漏水を防止できないため、従来より簡易な構造の軒先用板金具が提案されている。
【０００３】
特許文献１の発明では、１枚の板金を折曲して形成される軒先の雨押え用板金具について記載されている。この雨押え用板金具は、外壁と勾配屋根の接続部分に流れ落ちてきた水を軒先側に設置される誘導溝と、誘導溝よりも屋外側に立上がる前板部とによって軒樋に誘導することができる。また、外壁よりも屋内側に配置される壁下地材の表面にあてがわれる板状の側板部を有しており、万が一雨水が軒樋から溢れて壁を構成する外装部材の接合箇所から侵入することがあっても、側板部の板面に沿わせて下方へ流れ落とし、雨水を誘導溝及び前板部によって軒樋へ誘導することができる。
【先行技術文献】
【特許文献】
【０００４】
【特許文献１】特開平９−６０２２３
【発明の概要】
【発明が解決しようとする課題】
【０００５】
しかしながら、特許文献１の雨押え用板金具は、水を専ら軒樋へ向けて誘導するだけであるので、昨今のゲリラ豪雨のように降雨量が非常に多い場合は、軒樋による雨水の排水が間に合わず、水が側板部を越えて屋内へと侵入する可能性がある。また、１枚の板金を折曲して雨押え用板金具を形成しているので、外壁と勾配屋根との様々な接合部形状に対応させることが難しいという問題点がある。
【０００６】
そこで、本発明は、上述した課題を鑑みてなされたものであり、構造物の外壁と、該外壁の屋外側の面から面外方向へ延びる勾配屋根の軒先と、の接続部から屋内への漏水を防止する軒先用板金具及びその構造であって、従来のように複数の板金を組み合わせて形成される軒先用板金具の内部に水が浸入した場合であっても、屋内への漏水を防止できる軒先用板金具及び軒先当たり部の防水構造を提供する。
【課題を解決するための手段】
【０００７】
本発明の第１の軒先用板金具は、構造物の外壁と、該外壁の屋外側の面から面外方向へ延びる勾配屋根の軒先と、の接続部に配置されて屋内への漏水を防止する軒先用板金具であって、水を受ける箱状の箱部を有する水受け部材と、前記箱部の一側方を覆うように配置され、前記水受け部材と接合する略平板状の壁防水部材と、を備え、前記壁防水部材と前記箱部の底板との間に隙間を形成することを特徴としている。
【０００８】
本発明の第２の軒先用板金具は、前記底板が、前記壁防水部材に向けて下方へ傾斜していることを特徴としている。
【０００９】
本発明の第３の軒先用板金具は、前記壁防水部材が、前記水受け部材の上面よりも上方へ突出し、該水受け部材の下面よりも下方へ延びることを特徴としている。
【００１０】
本発明の軒先当たり部の防水構造は、構造物の外壁と、該外壁の屋外側の面から面外方向へ延びる勾配屋根の軒先と、の接続部の漏水を防止する軒先当たり部の防水構造であって、前記外壁を支持する躯体に設置される平板状の壁下地材と、前記勾配屋根の屋根仕上材よりも下部に設置される平板状の野地板と、前記野地板の上面に設置される第１から第３のいずれかに記載の軒先用板金具と、を備え、前記箱部は、前記軒先の前記壁下地材側の端部に設置され、前記壁防水部材は、前記壁下地材の表面に沿って設置されることを特徴としている。
【００１１】
本発明の軒先当たり部の外壁防水構造は、前記箱部が、前記野地板よりも前記底板を低い位置に配置していることを特徴としている。
【発明の効果】
【００１２】
本発明の第１の軒先用板金具によると、水を受ける箱状の箱部を有する水受け部材と、箱部の一側方を覆うように配置され、水受け部材と接合する略平板状の壁防水部材と、を備え、壁防水部材と箱部の底板との間に隙間を形成する。したがって、水受け部材に水が浸入した場合、浸入した水は、箱部に集水された後、壁防水部材と箱部の底板との間に形成される隙間から排水されて壁防水部材の表面に当たって下方へ流れ落ちる。つまり、水受け部材を軒先の外壁側の端部、且つ、勾配屋根の屋根仕上材よりも下部に設置される野地板との間に設置し、壁防水部材を外壁よりも屋内側に配置される壁下地材の表面に沿って設置することにより、万が一、雨水が屋根仕上材より下部に浸入しても水受け部材の箱部に集水されて前記隙間から排水され、壁防水部材の表面を流れ落ちるので、雨水の壁防水部材よりも屋内側への侵入を防ぐことができる。また、軒先用板金具自体に排水機能を設けているので、複数部材を組み合わせ、各繋ぎ目にシーリングを施している軒先用板金具の場合であっても、シーリングの経年劣化による漏水を憂慮する必要がない。
【００１３】
本発明の第２の軒先用板金具によると、底板が、壁防水部材に向けて下方へ傾斜しているので、箱部に浸入した水を確実に壁防水部材との間に設けた隙間から排水することができる。
【００１４】
本発明の第３の軒先用板金具によると、壁防水部材が、水受け部材の上面よりも上方へ突出し、また水受け部材の下面よりも下方へ延びる。したがって、軒先用板金具を外壁と勾配屋根の接続部に設置した場合、壁防水部材を壁下地材の表面に沿って設置することにより、軒先に設置された水受け部材の箱部で受け切れなかった水は、壁防水部材によって屋内側へ浸入することを阻止され、また、隙間から排水された水は、壁防水部材の表面を伝って下方へ流れ落とされ、壁防水部材よりも屋内側へ侵入することはない。
【００１５】
本発明の軒先当たり部の防水構造によると、野地板の上面に設置される第１から第３のいずれかの軒先用板金具を備えており、箱部は、軒先の壁下地材側の端部に設置され、壁防水部材は、壁下地材の表面に沿って設置されるので、万が一屋根仕上材から雨水が浸入しても水受け部材で集水し壁防水部材によって流れ落とすので、壁防水部材よりも屋内側への水の浸入を防ぐことができる。
【００１６】
本発明の軒先当たり部の防水構造によると、箱部が、底板を野地板の設置高さよりも低い位置に形成しているので、万が一屋根仕上材から野地板まで水が浸入しても、水が野地板の上に溜まることはなく、箱部の側板及び底板を流れ落ちて隙間から排出することができる。
【図面の簡単な説明】
【００１７】
【図１】建築物を示す概略斜視図。
【図２】軒先当たり部の防水構造を示す斜視図。
【図３】軒先用板金具を示す分解斜視図。
【図４】壁防水部材と固定部材との接合、水受け部材の箱部と蓋部の接合、及び基板部と二次水受け部材との接合状況を示す斜視図。
【図５】二次水受け部材及び水受け部材と接合された基板部材と、固定部材を接合された壁防水部材との接合状況を示す斜視図。
【図６】外壁を上から見た様子を示す斜視図。
【図７】軒先に軒先鉄板を設置する様子を示す斜視図。
【図８】軒先の外壁側の端部に軒先用板金具を設置する様子を示す斜視図。
【図９】図２のＸ部を示す部分拡大斜視図。
【発明を実施するための形態】
【００１８】
以下、軒先用板金具の最良実施形態について各図を参照しつつ説明する。軒先用板金具１は、図１のＸ部に示すように、建築物Ａのような構造物の外壁２と、外壁２の屋内側の面から面外方向へ延びる勾配屋根３の軒先３１と、の接続部に使用することができるものである。なお、図１は勾配屋根３の一例として切妻屋根を示しているが、本願の軒先用板金具１は、他に片流れ屋根や庇などの勾配を有する屋根に使用することができる。
【００１９】
軒先用板金具１は、図２及び図３に示すように、複数の板金部材を組み合わせて形成された部材で、水を受ける箱状の箱部１１ａを有する水受け部材１１と、箱部１１ａの一側方を覆うように配置され、水受け部材１１と接合する略平板状の壁防水部材１２と、水受け部材１１の下部に配置される基板部材１３と、基板部材１３の水受け部材１１を設置する面と反対側の面に設置される二次水受け部材１４と、壁防水部材１２及び基板部材１３とを接合する固定部材１５と、を備えている。
【００２０】
水受け部材１１は、勾配屋根３の軒先３１に設置される部材で、図３に示すように、側方が開いた箱部１１ａと蓋部１１ｂを接合して形成されている。箱部１１ａは、上方と一側方を開放された矩形平板状の底板１１ｃを有する箱状の部材で、開放された側方に隣接する２つの側面材のうち、基板部材１３側の側面材は、底板１１ｃから下方へ延びる第１羽片１１ｄを形成しており、第１羽片１１ｄを形成する側面材に対向する側面材は、その上端を他の側面材の上端よりも上方へ突出させて先端部１１ｅを形成している。また、底板１１ｃは、壁防水部材１２によって覆われる開放された側方に向って下方に傾斜している、
【００２１】
蓋部１１ｂは、略Ｌ字形に形成された面材で、出隅部が壁防水部材１２側に位置するように配置される。また、Ｌ字の２つの突出部分のうち一方の突出部１１ｆは、箱部１１ａの上方を覆うとともにその先端に形成された第２羽片１１ｇを先端部１１ｅと接合し、また、蓋部１１ｂの他方の突出部及び出隅部からなる接着部１１ｈは、基板部材１３に接着固定される。さらに、蓋部１１ｂの出隅を形成する二辺のうち一方の突出部１１ｆ側の一辺には壁防水部材１２と接合される第３羽片１１ｉが形成されている。
【００２２】
壁防水部材１２は、図２及び図３に示すように、外壁２よりも屋内側に配置される壁下地材２１の表面に沿って設置される略平板状の部材で、平面視略Ｌ字形に形成されている。Ｌ字形の入隅部を形成する二辺には、それぞれ基板部材１３に接合される２つの第４羽片１２ａが設けられており、出隅部を形成する二辺には、それぞれ固定部材１５に接合される２つの第５羽片１２ｂが設けられている。また、壁防水部材１２は、水受け部材１１と接合した際に、箱部１１ａの開放された側方を覆うことができる大きさに形成されるとともに、水受け部材１１の上端よりも上方へ突出し、且つ、水受け部材１１の下端よりも下方へ延びる大きさに形成される。
【００２３】
基板部材１３は、勾配屋根３の屋根仕上材よりも下部に設置される野地板３３の上面に設置される部材である。図３に示すように、基板部材１３は、平板状の当接部１３ａと、当接部１３ａの上端を折曲して水受け部材１１の接着部１１ｅと接着固定される固定部１３ｂと、当接部１３ａの下端の一部を固定部１３ｂと同じ方向へ折曲した折曲部１３ｃを形成している。また、当接部１３ａの側端のうち、折曲部１３ｃ側と反対の側端には、固定部材１５と接合する２つの第６羽片１３ｄが設けられている。
【００２４】
二次水受け部材１４は、基板部材１３の水受け部材１１を設置する面と反対側の面を伝って流れ落ちてきた水を集水するための部材である。図３に示すように、二次水受け部材１４は、矩形平板状の底板１４ａと底板１４ａの隣り合う２つの縁端を上方へ折曲げて形成した２つの側板１４ｂ、１４ｃを有している。一方の側板１４ｂは、側縁から側方向へ延びて固定部材１５に接合される２つの第７羽片１４ｄを形成し、他方の側板１４ｃは、その上端を底板１４ａと反対方向へ折曲して基板部材１３の折曲部１３ｃに接合する第８羽片１４ｅを形成している。また、底板１４ａは、一方の側板１４ｂ側の縁端に対向する縁端を上方へ延ばして基板部材１３の当接部１３ａと接合する第９羽片１４ｆを形成している。
【００２５】
固定部材１５は、壁防水部材１２及び基板部材１３と接合して外壁２の屋内側に配置される壁下地材２１に固定される部材で、図３に示すように、略平板Ｌ字形に形成されている。
【００２６】
以上に説明した複数の板金部材は、図２、図４及び図５に示すように、互いに接合して軒先用板金具１を形成することができる。なお、各部材同士は、両面テープや接着剤、及びリベットによって接合されるが、その接合部には軒先用板金具１内部への水の浸入を防ぐシーリング剤が打設されている。まず、図４に示すように、壁防水部材１２の第５羽片１２ｂと固定部材１５のＬ字形の入隅を形成する２つの縁端部とをリベット接合して壁防水部材１２と固定部材１５を一体とし、また、水受け部材１１の先端部１１ｅと第２羽片１１ｇとをリベット接合して箱部１１ａと蓋部１１ｂとを一体にする。さらに、二次水受け部材１４の第８羽片１４ｅと基板部１３の折曲部１３ｃとを接着固定するとともに第９羽片１４ｆと当接部１３ａとをリベット接合し、基板部材１３と二次水受け部材１４を一体とする。
【００２７】
次に、図５に示すように、水受け部材１１の接着部１１ｈを基板部材１３の上方から固定部１３ｂに接着固定する。このとき、水受け部材１１は、箱部１１ａが当接部１３ａを挟んで二次防水部材１４と反対側に位置するように基板部材１３に接着固定される。そして、水受け部材１１の第１羽片１１ｄを当接部１３ａにリベット接合する。また、固定部材１５の基板部材１３側の面と反対側の面には、平板状の下地材１５ａが接着固定される。
【００２８】
続いて、図５に示すように、壁防水部材１２の２つの第４羽片１２ａを基板部材１３の当接部１３ａ及び固定部１３ｂと合致させ、当接部１３ａと当接部１３ａ側の第４羽片１２ａをリベット接合し、固定部１３ｂと固定部１３ｂ側の第４羽片１２ａを接着固定する。そして、基板部材１３の第６羽片１３ｄを固定部材１５に接着固定し、最後に水受け部材１１の第３羽片１１ｉを壁防水部材１２にリベット接合し、図２に示す軒先用板金具１を形成する。
【００２９】
このように形成される軒先用板金具１は、図９に示すように、壁防水部材１２と箱部１１ａの底板１１ｃとを接合せずに両部材の間に隙間Ｓを形成している。また、先述したように、底板１１ｃは、壁防水部材側の側方に向って下方へ傾斜しているので、水Ｗが水受け部材１１の蓋部１１ｂを潜り抜けて箱部１１ａに浸入した場合、水Ｗは底板１１ｃの傾斜に沿って隙間Ｓから排水され、壁防水部材１２に当たって下方へ流れ落ちることになる。
【００３０】
次に、軒先用板金具１を使用した軒先当たり部の防水構造４について説明する。軒先当たり部の防水構造４は、図１に示すように建築物Ａのような構造物の外壁２と、外壁２の面外方向へ延びる勾配屋根３の軒先３１と、の接続部の漏水を防止する構造であって、図２に示すように、外壁２を支持する躯体５に設置される壁下地材２１と、勾配屋根３の屋根仕上材よりも下部に設置される平板状の野地板３３と、軒先用板金具１と、を備えている。
【００３１】
図６は、外壁２を上から見下ろした様子を示す斜視図であり、外壁２は、屋外に面する外壁材２２と、外壁材２２よりも屋内側へ配置される外壁下地材２３とから形成されている。また、壁下地材２１は、外壁２よりも屋内側に配置されて、外壁２を支持する梁や柱などの躯体５に設置される平板状の部材である。なお、図示例では、躯体５が木質系の部材となっているが、本願の軒先当たり部の防水構造４は、躯体５が鉄骨であっても使用することができる。また、野地板３３は、勾配屋根３の軒を支持する長尺な軒先母屋３４に載置され、勾配屋根３の屋根仕上材（図示しない）よりも下部に設置される平板状の部材である。なお、野地板３３の上面には、軒先用板金具１を設置した後、アスファルトルーフィングのような防水シート（図示しない）が全面に貼着される。
【００３２】
続いて、軒先当たり部の防水構造４の施工手順について説明する。図７に示すように、梁や柱に囲まれた空間には、壁下地材２１が外壁２の面内方向と合致するように設置されている。また、軒先母屋３４は、壁下地材２１の面外方向へ延びており壁下地材２１との間に若干の空間を空けて配置される。なお、軒先母屋３４には、軒先母屋３４と平面視直交する方向へ延びて屋根勾配を形成する複数の垂木材３６が設置されている。
【００３３】
まず、図７に示すように、軒先母屋３４の上面に軒方向へ延びる平板状の軒先鉄板３５を載置する。軒先鉄板３５は、その幅を軒先母屋３４の幅よりも大きく形成されており、幅方向の一端を軒先母屋３４から勾配屋根３と反対の方向へ突出させている。また、この突出した部分の長手方向の壁下地材２１側の縁端には、壁下地材２１に向って延びる板片３５ａが形成されている。このとき、軒先鉄板３５は、後に軒先母屋３４の壁下地材２１側の端部に設置される軒先用板金具１のスペースを空けて軒先母屋３５に載置される。
【００３４】
続いて、図８に示すように、軒先母屋３４、軒先鉄板３５、及び垂木材３６の上面に野地板３３を設置する。野地板３３は、軒先母屋３４から突出した軒先鉄板３５の形状に合わせて壁下地材２１側の端部をＬ字形に切り欠いている。そして、軒先鉄板３５の板片３５ａを野地板３３の小口面を覆うように折曲げ、軒先用板金具１を壁下地材２１と野地板３３との接合部分に設置する。
【００３５】
軒先用板金具１は、図９に示すように、基板部材１３の固定部１３ｂを野地板３３の壁下地材２１側の端部、且つ、軒先３１部分に接着固定させるとともに、固定部材１５の壁防水部材１２よりも突出した部分を壁下地材２１と軒先母屋３４との間に差し込むように配置する。そして、固定部材１５に設置された下地板１５ａを壁下地材２１に当接させ、下地板１５ａの位置する部分に屋外側から固定部材１５を介して釘やビスなどを打ち込み、軒用板金具１を壁下地材２１に固定する。このとき、壁防水部材１２は、壁下地材２１の表面に沿って配置されることになり、また、箱部１１ａの底板１１ｃは、野持板３３の設置高さよりも低い位置に配置される。
【００３６】
このように設置された軒用板金具１は、野地板３３の上部に設置される屋根仕上材から万が一水Ｗが浸入しても、金具自体の性能で適切に水を排水することができる。例えば、外壁２と勾配屋根３の接続部分を流れ落ちる雨水などの水Ｗが、屋根仕上材から野地板３３の上面に貼着される防水シートまで浸入した場合、水Ｗは、屋根勾配に沿って水受け部材１１の蓋部１１ｂに流れ落ちる。これらの水Ｗのほとんどは、蓋部１１ｂによって屋内への侵入を阻止されるが、蓋部１１ｂを潜り抜けて蓋部１１ｂと箱部１１ａとの繋ぎ目から少量の水Ｗが浸入した場合、水Ｗは箱部１１ａの底板１１ｃに流れ落ち、底板１１ｃの傾斜に沿って隙間Ｓから外部へ排水される。
【００３７】
このとき、壁防水部材１２が壁下地材２１の表面に沿って屋内側に配置されているので、隙間Ｓから排水された水Ｗは、壁防水部材１２に阻害されて屋内へ侵入することはない。また、壁防水部材１２は、先述したように、水受け部材１１の上面よりも上方へ突出し、また水受け部材の下面よりも下方へ延びている。したがって、軒先用板金具１を設置した場合、軒先３１に設置された水受け部材１１の箱部１１ａで受け切れなかった水Ｗは、壁防水部材１２によって屋内側へ浸入することを阻止され、また、隙間Ｓから排水された水は、壁防水部材１２の表面を伝って下方へ流れ落とされ、壁防水部材１２よりも屋内側へ侵入することはない。
【００３８】
このように、軒先当たり部の防水構造４は、防水シートや水切材などの防水部材同士の納まりに依存せず、軒先用板金具１自体の排水性能によって屋内への水の浸入を防止することができる。また、軒先用板金具１の各接合部のシールが経年劣化によって切れてしまったとしても、箱部１１ａ及び壁防水部材１２との間に形成される隙間Ｓによって水Ｗを排水することができるので、屋内への水の浸入を防止することができる。
【００３９】
また、本発明の実施の形態は上述の形態に限ることなく、本発明の思想の範囲を逸脱しない範囲で適宜変更することができることは云うまでもない。
【産業上の利用可能性】
【００４０】
この発明は、構造物の外壁と、外壁の面外方向へ延びる勾配屋根の軒先との接続部において好適に使用することができる。
【符号の説明】
【００４１】
１      軒先用板金具
１１    壁防水部
１２    水受け部
２      外壁
２１    壁下地材
３      勾配屋根
３１    軒先
３３    野地板
４      軒先当たり部の外壁防水構造
Ｓ      隙間
【図１】
2019039191.tif 000003
【図２】
2019039191.tif 000004
【図３】
2019039191.tif 000005
【図４】
2019039191.tif 000006
【図５】
2019039191.tif 000007
【図６】
2019039191.tif 000008
【図７】
2019039191.tif 000009
【図８】
2019039191.tif 000010
【図９】
2019039191.tif 000011